(57)【特許請求の範囲】
【請求項１】
化粧料が充填された中皿と、上記中皿を収容するための中皿収容凹部が形成された容器本体と、この容器本体を蓋する蓋体とを備え、上記容器本体の中皿収容凹部の底面に沿って、上記中皿を弾力的に支受するための緩衝材が配設されており、この緩衝材は、可撓性を有する帯状体からなり、その途中の少なくとも１個所に、面方向に延びる向きを変える屈曲部もしくは湾曲部を有し、それによって互いに異なる方向に延びる少なくとも２つの部分が形成されていることを特徴とする化粧料容器。
【請求項２】
上記緩衝材が、１枚の可撓性シートから打ち抜き成形によって得られるものであり、Ｖ字状，Ｕ字状，コ字状，ジグザグ状，Ｓ字状および渦巻き状のいずれかの形状である請求項１記載の化粧料容器。
【請求項３】
上記中皿収容凹部の底面の、上記緩衝材が配設された部分以外の部分にホットメルト接着剤層が形成されている請求項１または２記載の化粧料容器。
【発明の詳細な説明】
【技術分野】
【０００１】
本発明は、コンパクト等の化粧料容器に関するものである。
【背景技術】
【０００２】
従来から、ファンデーション等の固形化粧料を収容するレフィル容器等の各種化粧料容器では、これを床上等に落下させてしまうと、この落下時の衝撃によって、化粧料容器内の固形化粧料がひび割れたり、損傷したりするため、化粧料容器の容器本体と、固形化粧料を収容する中皿との間に緩衝材を設け、この緩衝材で落下時の衝撃を和らげるようにしたものが多く出回っている。
【０００３】
このような化粧料容器として、例えば、図１０に示すコンパクト容器が提案されている（例えば、特許文献１参照）。このコンパクト容器は、容器本体３１と、蓋体３２と、固型化粧料３４が充填された中皿３３とを備え、上記容器本体３１の内底面３１ａに接着された緩衝材シート３５を介して、上記中皿３３が支受されるようになっている。
【０００４】
また、他の例として、図１１に示すコンパクト容器が提案されている（例えば、特許文献２参照）。このコンパクト容器は、中皿収納部４１ａおよび化粧用具収納部４１ｂが形成された容器本体４１と、蓋体４２と、化粧料４４が充填された中皿４３とを備え、上記中皿収納部４１ａの底面および内周面にまたがって設けられたシート状の衝撃吸収部材４５を介して、上記中皿４３が支受されるようになっている。
【特許文献１】実開平３−１３９０８号公報
【特許文献２】特開２００７−７５５４２号公報
【発明の開示】
【発明が解決しようとする課題】
【０００５】
しかしながら、これらのコンパクト容器では、緩衝材シート３５，衝撃吸収部材４５が、シートで構成されているため、横方向の撓み量が小さく、コンパクト容器の落下時に中皿３３，４３に作用する横方向の衝撃に対して、充分な耐衝撃効果を奏することができない。また、上記緩衝材シート３５，衝撃吸収部材４５が、中皿３３，４３を直接もしくは接着剤を介して容器本体３１，４１の内底面３１ａ，中皿収納部４１ａに固定する作用を果たしているため、比較的大きな面積を必要とするが、これらの緩衝材の材質として最適なシリコーンゴムやシリコーンゲルは高価なため、シートとして面状に用いると、コストが高くなるという問題もある。
【０００６】
本発明は、このような事情に鑑みなされたもので、耐衝撃効果に優れ、しかも、安価な化粧料容器の提供をその目的とする。
【課題を解決するための手段】
【０００７】
上記の目的を達成するため、本発明の化粧料容器は、化粧料が充填された中皿と、上記中皿を収容するための中皿収容凹部が形成された容器本体と、この容器本体を蓋する蓋体とを備え、上記容器本体の中皿収容凹部の底面に沿って、上記中皿を弾力的に支受するための緩衝材が配設されており、この緩衝材は、可撓性を有する帯状体からなり、その途中の少なくとも１個所に、面方向に延びる向きを変える屈曲部もしくは湾曲部を有し、それによって互いに異なる方向に延びる少なくとも２つの部分が形成されているという構成をとる。
【発明の効果】
【０００８】
すなわち、本発明の化粧料容器では、容器本体の中皿収容凹部の底面に沿って、可撓性を有する帯状体からなる緩衝材が配設されており、この緩衝材によって中皿が弾力的に支受されるようになっている。しかも、上記緩衝材は、帯状体であるため、その上面部分での横方向の撓み量が大きく、コンパクト容器の落下時に中皿に作用する横方向の衝撃に対して、充分な耐衝撃効果を奏する。さらに、上記緩衝材は、その途中の少なくとも１個所に設けた屈曲部もしくは湾曲部によって、面方向に延びる向きを変えており、それによって互いに異なる方向に延びる少なくとも２つの部分が形成されているため、この２つの部分で、中皿を安定良く支受することができ、しかも、どの方向から衝撃がかかっても効率よくこれを吸収緩和することができる。そして、上記緩衝材が、従来例のような面状ではなく、帯状であるため、緩衝材の材質として、高価なものを用いた場合であっても、その材料コストを低く抑えることができる。
【０００９】
また、本発明において、上記緩衝材が、１枚の可撓性シートから打ち抜き成形によって得られるものであり、Ｖ字状，Ｕ字状，コ字状，ジグザグ状，Ｓ字状および渦巻き状のいずれかの形状である場合には、１枚の可撓性シートから複数枚の緩衝材を作製する際に、緩衝材の形状と同じに形成された複数の打ち抜き刃をそれぞれを近接させて、もしくはその一部を合致させて打ち抜き成形することができるため、１枚の可撓性シートから多数枚の緩衝材を得ることができ、歩留りが非常によい。
【発明を実施するための最良の形態】
【００１０】
つぎに、本発明の実施の形態を図面にもとづいて詳しく説明する。ただし、本発明は、この実施の形態に限定されるわけではない。
【００１１】
図１は本発明の化粧料容器の一実施の形態を示している。図において、１は上面に中皿収容凹部１ａが形成された容器本体で、２は上記容器本体１の上面を開閉自在に蓋する蓋体で、上記容器本体１の後端部１ｂと蓋体２の後端部２ａとが連結ピン３により回動自在に連結されている。６は上記蓋体２の裏面に固定された鏡である。
【００１２】
上記容器本体１の中皿収容凹部１ａには、その平面図である図２に示すように、その底面１ｃに、平面視がＶ字状に形成された帯状の緩衝材１１が接着されている。この緩衝材１１は、シリコーンを主原料とする可撓性のゲル素材からなり、このゲル素材により、化粧料容器の落下時の衝撃を緩衝するために必要な撓み量を充分に確保することができる柔らかさを備え、優れた緩衝効果を発揮しうるものである。したがって、この緩衝材１１によって、固形化粧料５が充填された中皿４（図１参照）が、弾力的に支受される。図２において、１１ａは上記緩衝材１１の屈曲部である。
【００１３】
上記緩衝材１１は、例えば、市販の、シリコーンを主原料とするゲル素材（例えば、ジェルテック社製アルファゲル）を用いて成形した四角形のシート１２（図３参照）をＶ字状に打ち抜き成形することによって得ることができる。上記打ち抜きは、例えば、ベースに、上記緩衝材１１のＶ字形状と同じＶ字形状に形成された打ち抜き刃が多数（この実施の形態では、８個）規則的に配列されたトムソン型を用いることができる。そして、図３に示すように、上記トムソン型によりシート１２に８個のＶ字形状の切り目１２ａを形成し、シート１２からこれを打ち抜くことができる。このようにして、８個のＶ字状の緩衝材１１を得ることができる。
【００１４】
なお、上記緩衝材１１のＶ字形状は、図３に示すように、互いの辺をできるだけ接した状態で、規則的かつ連続的に並べることができることから、多数（３つ以上）のＶ字状の緩衝材１１を１枚のシート１２から効率よく打ち抜くことができ、非常に歩留りがよい。
【００１５】
上記緩衝材１１において、Ｖ字状の２辺が交わった部分（帯状体の屈曲部）１１ａの屈曲角度は、１０〜１７０°の範囲内に設定することが好ましく、さらに好ましくは、４５〜１２０°の範囲内である。上記屈曲角度が１７０°を上回ると、上記緩衝材１１が横長形状になって、中皿４の全体を安定良く支受することができず、バランスを欠くおそれがある。また、全体が一方向に延びた状態に近づくため、衝撃の向きによっては緩衝効果が得られにくい。また、１０°を下回ると、上記緩衝材１１のＶ字間のスペースが小さくなって、この場合にも、２辺の方向が近くなり、中皿４の全体を安定良く支受するのにバランスを欠くおそれがあるうえ、衝撃の向きによっては緩衝効果が得られにくい。
【００１６】
また、図２において、１３は上記中皿収容凹部１ａの底面１ｃの中央および左右両側に設けられた両面テープで、この両面テープの上面に中皿４の底面が剥離可能に接着固定されている。そして、中皿４の取り外しの際には、上記中皿収容凹部１ａの底壁に形成された貫通穴１４に棒状体（図示せず）を挿入して、中皿４の底面を押し上げることによって、中皿４を取り外すことができるようになっている。１５は上記容器本体１の前側に形成された切欠き部で、この切欠き部１５の奥面に突設された係合凸部１５ａに、上記蓋体２の前側から突設された係合爪２ｂが着脱自在に係合している（図１参照）。
【００１７】
上記の構成によれば、柔軟なゲル素材からなる帯状の緩衝材１１が、所定の屈曲角度でＶ字状に形成されており、２方向に延びる帯状部分を有しているため、中皿４を安定よくかつ弾力的に支受することができる。しかも、上記緩衝材１１がＶ字状に形成されているため、面状であるものに比べ、安価になる。さらに、シート全体を用いるものに比べて、横方向の撓み量が大きく、コンパクト容器の落下時に中皿４に作用する横方向の衝撃に対しても、充分な耐衝撃効果を奏する。
【００１８】
なお、上記実施の形態では、上記中皿収容凹部１ａの底面１ｃに両面テープ１３を設けているが、この両面テープ１３を設けなくてもよい。この場合には、上記中皿４の動きを阻止するため、上記蓋体２の下面で中皿４の上面を押えたり、上記動きを阻止するための中蓋（図示せず）を設けたりすることができる。また、中皿収容凹部１ａの凹部内と中皿４との間に係合手段を設けるようにしてもよい。
【００１９】
また、上記両面テープ１３に代えて、ホットメルト接着剤からなる接着剤層（図示せず）を用いることができる。この接着剤層は、ホットメルト接着剤の粘性による緩衝効果を有するため、上記緩衝材１１の、ばね作用的な緩衝効果とあいまって、優れた緩衝効果を奏する。そして、何度でも中皿４を交換することができる。しかも、緩衝材１１の帯状に延びる部分の配置を考慮して、この間にそのスペースを補う配置で上記接着剤層を設けることができ、より大きな相乗効果を発揮させることができる。
【００２０】
図４は上記緩衝材１１の変形例を示している。この例では、上記緩衝材１１は、２個所の屈曲部１１ａにおいて、それぞれ９０°で屈曲する略Ｎ字状に形成されている。このような緩衝材１１は、例えばトムソン型を用い、上記シート１２に、図５に示すような切り目１２ａを付けて作製することができる。それ以外の部分は上記緩衝材１１と同様であり、同様の部分には同じ符号を付している。この実施の形態でも、上記実施の形態と同様の作用・効果を奏する。なお、この例では、２個所で屈曲させているが、３個所以上で屈曲させてもよく、これにより、上記緩衝材１１の形状をジグザグ状にすることができる。
【００２１】
図６は上記緩衝材１１の他の変形例を示している。この例では、上記緩衝材１１は、３個所の屈曲部１１ａのそれぞれにおいて、９０°ずつ屈曲するコ字状に形成されている。このような緩衝材１１は、例えばトムソン型を用い、上記シート１２に、図７に示すような切り目１２ａを付けて作製される。それ以外の部分は、図２に示す緩衝材１１と同様であり、同様の部分には同じ符号を付している。この実施の形態でも、上記実施の形態と同様の作用・効果を奏する。
【００２２】
また、上記各緩衝材１１に代えて、例えば、図８（ａ）のＵ字状、（ｂ）のＳ字状、（ｃ）の直角に折れ曲がりながら外方に拡がる形状、（ｄ）の渦巻き状等、各種形状の緩衝材１１を用いてもよい。なお、上記図８（ｄ）の渦巻き状の緩衝材１１では、一端から他端にわたって、全ての部分が湾曲部である。そして、上記図８（ａ）の緩衝材１１は、コ字状の緩衝材１１を作製する場合と同様の切り目１２ａを付けることにより、１枚のシート１２から多数の緩衝材１１を作製することができる。また、上記図８（ｃ），（ｄ）の緩衝材１１は、その内側に、緩衝材１１と同形状の隙間があるため、上記シート１２から緩衝材１１を作製する際に、上記シート１２から切り離された部分を利用して別の緩衝材１１を作製することができる。
【００２３】
このような緩衝材１１において、湾曲部を有する場合には、その曲率半径を、２〜４０ｍｍの範囲内に設定することが好ましく、さらに好ましくは５〜２０ｍｍの範囲内である。
【００２４】
図９は本発明の化粧料容器の他の実施の形態を示している。この実施の形態では、上記容器本体１の底面１ｃにＶ字状の固定用凹溝１７が形成されており、この固定用凹溝１７に、上記緩衝材１１の下部が嵌入されている。また、この緩衝材１１の上部は、固定用凹溝１７の上面より上方に突出しており、この上部によって上記中皿４が弾力的に支受される。それ以外の部分は上記実施の形態と同様であり、同様の部分には同じ符号を付している。この実施の形態でも、上記実施の形態と同様の作用・効果を奏する。しかも、上記底面１ｃに固定用凹溝１７が形成されているため、この固定用凹溝１７に緩衝材１１を簡単に位置決めして固定することができる。したがって、緩衝材１１を上記底面１ｃに接着する必要がない。なお、緩衝材１１を固定用凹溝１７に嵌入するだけでなく、接着してもよい。
【００２５】
上記緩衝材１１は、優れた緩衝効果を得るには、柔軟であることが好ましく、その硬度（針入度）は、１０〜１２０の範囲内に設定することが好適である。また、上記緩衝材１１において、Ｖ字状に形成される帯状体の幅を、１〜２０ｍｍの範囲内に設定し、厚みを、０．５〜２ｍｍの範囲内に設定することが好適である。このような緩衝材１１を構成する材料としては、可撓性を有する材料であればよく、シリコーン樹脂等の各種の合成樹脂材料や、各種のゴム材料，エラストマー材料が用いられる。なかでも、前記のシリコーンゲルが好適である。
【図面の簡単な説明】
【００２６】
【図１】本発明の化粧料容器の一実施の形態を示す断面図である。
【図２】容器本体の平面図である。
【図３】切り目が付けられたシートの平面図である。
【図４】緩衝材の変形例を示す平面図である。
【図５】切り目が付けられたシートの平面図である。
【図６】上記緩衝材の他の変形例を示す平面図である。
【図７】切り目が付けられたシートの平面図である。
【図８】（ａ）〜（ｄ）は緩衝材の平面図である。
【図９】本発明の化粧料容器の他の実施の形態を示す断面図である。
【図１０】従来例を示す断面図である。
【図１１】他の従来例を示す斜視図である。
【符号の説明】
【００２７】
１  容器本体
１ａ  中皿収容凹部
１ｃ  底面
２  蓋体
４  中皿
５  固形化粧料
１１  緩衝材
１１ａ  屈曲部
【図１】
0005186251.tif 000002
【図２】
0005186251.tif 000003
【図３】
0005186251.tif 000004
【図４】
0005186251.tif 000005
【図５】
0005186251.tif 000006
【図６】
0005186251.tif 000007
【図７】
0005186251.tif 000008
【図８】
0005186251.tif 000009
【図９】
0005186251.tif 000010
【図１０】
0005186251.tif 000011
【図１１】
0005186251.tif 000012